(57)【要約】【課題】開封部材に設けられた注出筒部を押し下げることで、シート状の蓋材で密封された容器を開封するような開封機能付き容器について、小さい力でスムーズに容器を開封できるようにする。【解決手段】容器本体に固定的に配置される開封部材４の基部に対して、傾斜したブリッジ部１５により持ち上げられるように支持された注出筒部１４を押し下げることで、ブリッジ部１５を斜め下方に反転させて、下方に変位した注出筒部１４の下端の刃部１４ａにより蓋材３を破断開封するような開封機能付き容器において、両端の接続部分にそれぞれ変形容易部１５ａ、１５ｂが形成されたブリッジ部に対して、更に、ブリッジ部１５の中途部分にも変形容易部１５ｃを形成する。【選択図】図３
2010247887.tif 000002
【特許請求の範囲】
【請求項１】
内容物を収容する容器本体と、容器本体の開口端部を密封するシート状の蓋材と、蓋材の上から容器本体に装着される開封部材とからなり、開封部材は、容器本体に対して固定的に配置される基部と、内容物を注出可能な筒状で下端に刃部を有する注出筒部とを有するもので、注出筒部は、蓋材の上方に注出筒部を支持するための傾斜したブリッジ部を介して開封部材の基部に一体的に形成されており、ブリッジ部には、注出筒部との接続部分と、開封部材の基部との接続部分とに、それぞれ変形容易部が形成されていて、傾斜したブリッジ部により持ち上げられるように支持された注出筒部を押し下げることで、ブリッジ部を斜め下方に反転させて、下方に変位した注出筒部の下端の刃部により蓋材を破断開封するような開封機能付き容器において、両端の接続部分にそれぞれ変形容易部が形成されたブリッジ部に対して、更に、ブリッジ部を中途部分で変形させるための変形容易部が形成されていることを特徴とする開封機能付き容器。
【請求項２】
ブリッジ部を中途部分で変形させるための変形容易部の強度が、開封部材の基部との接続部分に形成された変形容易部の強度よりも弱くなるように設定されていることを特徴とする請求項１に記載の開封機能付き容器。
【発明の詳細な説明】
【技術分野】
【０００１】
本発明は、内容物を収容する容器本体と、容器本体の開口端部を密封するシート状の蓋材と、蓋材の上から容器本体に装着されるオーバーキャップ状の開封部材とからなる開封機能付き容器に関し、特に、ブリッジ部を介して開封部材に一体的に形成された注出筒部を押し下げることで、ブリッジ部の反転により注出筒部を下方に変位させて、注出筒部の下端に設けた刃部により蓋材を破断開封するような開封機能付き容器に関する。
【背景技術】
【０００２】
アルミ箔などを主材とするシート状の蓋材によって密封された容器に対して、内容物の注出口となる注出筒部により蓋材を破断開封するために、蓋材の上からオーバーキャップ状の開封部材を装着し、この開封部材にブリッジ部を介して注出筒部を一体的に形成することで、この注出筒部を押し下げて、ブリッジ部を反転させて注出筒部を下方に変位させ、注出筒部の下端に設けられた刃部により蓋材を破断開封する、というような開封機能付き容器が下記の特許文献１により従来から公知となっている。
【０００３】
すなわち、下記の特許文献１には、アルミ箔などシール材で密封された容器に対して、「容器口部外周面に嵌合する筒状の蓋本体の内側に、下端に切刃を有する内栓を、蓋本体内壁から斜め上方に延設された支え板によって取り付け、この支え板の蓋本体内壁及び内栓との連結部を屈曲可能とし、内栓を押し下げると支え板が斜め下方に反転するようにした密封用キャップ」を容器口部に装着して、「内栓を手指で強く押し下げて内栓下端の切刃によってシール材を突き破る。そしてその後は内栓の注出孔を通して内容物を注出することができる」ということが記載されている。
【先行技術文献】
【特許文献】
【０００４】
【特許文献１】実開昭５８−１５４１５１号公報
【発明の概要】
【発明が解決しようとする課題】
【０００５】
ところで、上記のような従来公知の開封機能付き容器では、オーバーキャップ状の開封部材に相当する蓋本体を容器口部に装着して、注出筒部に相当する内栓を押し下げることで、ブリッジ部に相当する支え板は、斜め上方に延設された状態から斜め下方に反転されるが、この反転する過程で、先ず、支え板が水平方向に延びることとなる。これに対して、蓋本体の内壁と内栓との間隔は、支え板が斜め上方に延設された状態でちょうど収まるように設定されているため、内栓を押し下げて支え板が水平方向に延びるときに、蓋本体の内壁と内栓との間に支え板が収まりきらない状態となってしまう。その結果、支え板自体を変形させるために大きな力が必要になったり、支え板自体が不規則に変形することで内栓がスムーズに下方に変位しなかったりするような虞がある。
【０００６】
本発明は、上記のような問題の解消を課題とするものであり、具体的には、開封部材に設けられた注出筒部を押し下げることで、シート状の蓋材で密封された容器を開封するような開封機能付き容器について、小さい力でスムーズに容器を開封できるようにすることを課題とするものである。
【課題を解決するための手段】
【０００７】
本発明は、上記のような課題を解決するために、内容物を収容する容器本体と、容器本体の開口端部を密封するシート状の蓋材と、蓋材の上から容器本体に装着される開封部材とからなり、開封部材は、容器本体に対して固定的に配置される基部と、内容物を注出可能な筒状で下端に刃部を有する注出筒部とを有するもので、注出筒部は、蓋材の上方に注出筒部を支持するための傾斜したブリッジ部を介して開封部材の基部に一体的に形成されており、ブリッジ部には、注出筒部との接続部分と、開封部材の基部との接続部分とに、それぞれ変形容易部が形成されていて、傾斜したブリッジ部により持ち上げられるように支持された注出筒部を押し下げることで、ブリッジ部を斜め下方に反転させて、下方に変位した注出筒部の下端の刃部により蓋材を破断開封するような開封機能付き容器において、両端の接続部分にそれぞれ変形容易部が形成されたブリッジ部に対して、更に、ブリッジ部を中途部分で変形させるための変形容易部が形成されていることを特徴とするものである。
【発明の効果】
【０００８】
上記のような本発明の開封機能付き容器によれば、注出筒部を押し下げてブリッジ部を斜め下方に反転させる際に、注出筒部を持ち上げるように傾斜したブリッジ部は、注出筒部と開封部材の基部との間（水平方向の長さが決まった間隔）に収められた状態のままで、先ず水平方向に延びようとするが、その際に、ブリッジ部の中途部分に形成された変形容易部が変形することで、ブリッジ部を水平方向に延ばすことなく、容易且つ安定的に斜め下方に反転することができる。その結果、小さい力により注出筒部をスムーズに押し下げることができて、ブリッジ部を不規則に変形させることなく、確実に容器を開封することができる。
【図面の簡単な説明】
【０００９】
【図１】本発明の開封機能付き容器の一実施例について、開封前の容器を示す、図２のＡ−Ａ線に沿った断面側面図である。
【図２】図１に示した容器の上方から見た状態を示す上面図である。
【図３】図２のＢ−Ｂ線に沿った開封前の容器の断面正面図である。
【図４】図２のＡ−Ａ線に沿った開封後の容器の断面側面図である。
【図５】図２のＢ−Ｂ線に沿った開封後の容器の断面正面図である。
【発明を実施するための形態】
【００１０】
開封部材に設けられた注出筒部を押し下げることで、シート状の蓋材で密封された容器を開封するような開封機能付き容器について、小さい力でスムーズに容器を開封できるようにするという目的を、最良の形態として以下の実施例に具体的に示すように、内容物を収容する容器本体と、容器本体の開口端部を密封するシート状の蓋材と、蓋材の上から容器本体に装着される開封部材とからなり、開封部材は、容器本体に対して固定的に配置される基部と、内容物を注出可能な筒状で下端に刃部を有する注出筒部とを有するもので、注出筒部は、蓋材の上方に注出筒部を支持するための傾斜したブリッジ部を介して開封部材の基部に一体的に形成されており、ブリッジ部には、注出筒部との接続部分と、開封部材の基部との接続部分とに、それぞれ変形容易部が形成されていて、傾斜したブリッジ部により持ち上げられるように支持された注出筒部を押し下げることで、ブリッジ部を斜め下方に反転させて、下方に変位した注出筒部の下端の刃部により蓋材を破断開封するような開封機能付き容器において、両端の接続部分にそれぞれ変形容易部が形成されたブリッジ部に対して、更に、ブリッジ部を中途部分で変形させるための変形容易部を形成する、ということで実現した。
【００１１】
なお、本発明の開封機能付き容器で、対象となる容器本体の材料については、特に限定されるものではないが、例えば、ポリエチレンテレフタレート等のポリエステル系樹脂、ポリエチレンやポリプロピレン等のオレフィン系樹脂等のような容器用として周知の樹脂材料や、アルミニウム合金板や表面処理鋼板等の製缶用として周知の金属薄板などが好適に使用できる。
【００１２】
また、容器本体の形状については、カップ状が一般的であるが、これに限られるものではなく、シート状の蓋材で密封される容器本体の開口端部の構造についても、平坦なフランジ部に限らず、胴部の上端をカール成形したカール部であっても良い。
【００１３】
また、容器本体を密封するシート状の蓋材については、特に限定されるものではないが、例えば、アルミ箔に樹脂フィルムをラミネートしたものや、ガスバリア性を有する樹脂フィルムなどが好適に使用できる。また、容器本体の開口端部をシート状の蓋材で密封する方法についても、熱溶着する方法以外に、接着剤で接着する方法を採用しても良い。
【００１４】
さらに、容器（蓋材で密封された容器本体）に装着されるオーバーキャップ状の開封部材については、特に限定されるものではないが、ポリエチレンやポリプロピレン等のオレフィン系樹脂のような周知のキャップ用樹脂材料から射出成形されるものが好適に使用できる。
【実施例】
【００１５】
以下、本発明の開封機能付き容器の一実施例について説明すると、図１に示すような本実施例の開封機能付き容器１では、内容物（図示せず）を収納する容器本体２は、円板状の底部（図示せず）と、底部の外端から上方に拡径する胴部２ｂと、胴部２ｂの上端から外方に延びるフランジ部（開口端部）２ａとを有する樹脂製でカップ状の容器であって、容器本体２のフランジ部２ａにはシート状の蓋材３がヒートシールにより熱溶着されている。そのように蓋材３で密封された容器本体２に対して、容器本体２のフランジ部２ａに係止されて、シート状の蓋材３を覆うように、樹脂製の開封部材４がオーバーキャップ状に装着されている。
【００１６】
オーバーキャップ状の開封部材４では、容器本体２のフランジ部２ａの上方に位置する環状（短筒状）の外周壁１１と、シート状の蓋材３の上方に位置する天板部１３とが、外周壁１１の内周面から内方に天板部１３が接続されるように一体的に形成されており、外周壁１１の下端は、シート状の蓋材３を挟んだ状態で容器本体２のフランジ部２ａに間接的に当接し、また、外周壁１１の下端からは、僅かに半径方向外方に張り出してから下方に垂下するように係止筒部１２が一体的に形成されている。この係止筒部１２の内周面には、フランジ係合用の突起１２ａが一体的に形成されており、この突起１２ａにより開封部材４の係止筒部１２が容器本体２のフランジ部２ａに固定されることで、蓋材３で密封された容器本体２に対して開封部材４が固定的に装着されることとなる。
【００１７】
外周壁１１と係止筒部１２と天板部１３（および天板部１３に一体的に立設された支柱部１６）が一体的に形成された開封部材４の基部に対して、天板部１３の周辺部分に、支柱部１６とブリッジ部１５とを介して、円筒状の注出筒部１４が一体的に形成されている。この注出筒部１４の下端部は、蓋材３を破断開封するための刃部１４ａとして形成され、注出筒部１４の上端部には、注出筒部１４から外方に延びるように、フランジ部１４ｂと押し下げ操作部１４ｃがそれぞれ一体的に形成されている。
【００１８】
注出筒部１４の刃部１４ａは、円筒を斜めに切断した形状に形成されていて、最も容器周辺側に位置する箇所が最も下方に突出する先端部となっている。注出筒部１４の刃部１４ａの先端部は、天板部１３よりも下方で、且つ、蓋材３よりも上方に配置されており、注出筒部１４を押し下げた際には、刃部１４ａの先端部によって蓋材３が最初に破断されることとなる。
【００１９】
注出筒部１４の押し下げ操作部１４ｃは、注出筒部１４の容器中心側の領域で、指により押し下げ可能な面積を有するように、フランジ部１４ｂから注出筒部１４の半径方向外方に向かって更に大きく張り出すように形成されている。注出筒部１４の押し下げ操作部１４ｃは、天板部１３よりも上方に配置されており、注出筒部１４を押し下げる際には、押し下げ操作部１４ｃの部分で指によって押し下げることとなる。
【００２０】
容器本体に対して固定的に配置された開封部材４の基部（外周壁１１と係止筒部１２と天板部１３と支柱部１６とが一体的に形成されている）に対して、注出筒部１４は、左右両側に配置された一対のブリッジ部１５を介して可動的に、開封部材４の天板部１３から一体的に立設された支柱部１６に支持されており、ブリッジ部１５は、その一端側が、注出筒部１４のフランジ部１４ｂに接続され、その他端側が、天板部１３に立設された支柱部１６の上端部に接続されて、支柱部１６の上端部から注出筒部１４に向かって斜め上方に延びている。
【００２１】
また、開封部材４の天板部１３では、天板部１３の中心を挟んで注出筒部１４とは反対側に、天板部１３の中心側から周辺側に向かって斜め上方に延びるように、弾性変形可能な弾性板部１７が一体的に形成されており、天板部１３から傾斜して浮き上がった弾性板部１７の先端の下面側には、蓋体３に空気孔を開けるための突起１７ａが一体的に形成されていて、この突起１７ａは、蓋材３の周辺部の上方で蓋体３と間隔をおいて配置されている。
【００２２】
また、開封部材４の外周壁１１では、図２に示すように、平面視で見た場合に、注出筒部１４の両サイド付近でブリッジ部１５に沿うように、内方（容器の中心側）に凹んだ注出筒案内部１１ａが形成されており、また、図１に示すように、外周壁１１の内面で天板部１３よりも下方に係止突起１１ｂが形成されている。さらに、外周壁１１の係止突起１１ｂと対向して、天板部１３の端部にも係止突起１３ｂが形成されている。
【００２３】
そのように係止突起１１ｂ、１３ｂが形成されていることで、図４に示すように、注出筒部１４を容器内部に押し込んだ際に、注出筒部１４のフランジ部１４ｂが、外周壁１１の係止突起１１ｂを乗り越え、且つ、係止突起１１ｂの下面に当接して係止されると共に、注出筒部１４の押し下げ操作部１４ｃが、天板部１３の係止突起１３ｂを乗り越え、且つ、係止突起１３ｂの下面に当接して係止されることで、押し込まれた注出筒部１４が上方に戻らないようになっている。
【００２４】
すなわち、押し下げ操作部１４ｃを指で押し下げ、注出筒部１４を下方に変位させて、注出筒部１４の刃部１４ａでシート状の蓋材３を破断開封してから、注出筒部１４のフランジ部１４ｂや押し下げ操作部１４ｃが、開封部材４の外周壁１１や天板部１３に形成された係止突起１１ｂや係止突起１３ｂを乗り越えるまで、注出筒部１４が押し込まれることで、注出筒部１４は容器内部に挿入された状態で係止されることとなり、これによって、容器本体の内部と外部が注出筒部１４により挿通された状態が維持されて、内容物を注出するための注出口が形成されることとなる。
【００２５】
なお、本実施例では、図４に示すように、注出筒部１４を押し込んで天板部１３の係止突起１３ｂに係止させたときに、天板部１３に設けられた弾性板部１７の先端を押し下げることで、弾性板部１７の先端の下面側に形成された突起１７ａにより、蓋材３に空気孔が破断穿孔されるようになっており、その後、弾性板部１７が弾性的に元の位置に戻ったときに、注出筒部１４により形成された注出口とは別に、弾性板部１７の先端の突起１７ａにより蓋材３に空気孔が形成されるようになっている。
【００２６】
ところで、上記のような本実施例の開封機能付き容器では、図３に示すように、注出筒部１４を両側から持ち上げるように支持している傾斜したブリッジ部１５において、一対のブリッジ部１５のそれぞれで、注出筒部１４（フランジ部１４ｂ）との接続部分と、開封部材４の基部（天板部１３から一体的に立設された支柱部１６）との接続部分とに、薄肉化された変形容易部１５ａ、１５ｂがそれぞれ形成されていると共に、更に、ブリッジ部１５の中途部分にも、薄肉化された変形容易部１５ｃが形成されている。
【００２７】
そのようにブリッジ部１５に薄肉化された変形容易部１５ａ、１５ｂ、１５ｃが形成されていることで、押し下げ操作部１４ｃを指で押して注出筒部１４を押し下げる際に、それら変形容易部１５ａ、１５ｂ、１５ｃの部分でブリッジ部１５が変形して、注出筒部１４を容易に下方へ押し下げることができる。
【００２８】
なお、ブリッジ部１５に形成される変形容易部１５ａ、１５ｂ、１５ｃについては、薄肉部の厚さを変えることで適宜の強度に設定できるものであって、全ての変形容易部１５ａ、１５ｂ、１５ｃの強度を等しく設定しても良いが、本実施例では、ブリッジ部１５の中途部分に設けられた変形容易部１５ｃの強度を、開封部材４の基部（天板部１３から一体的に立設された支柱部１６）との接続部分に設けられた変形容易部１５ｂの強度よりも弱くなるように設定している。
【００２９】
上記のような本実施例の開封機能付き容器によれば、押し下げ操作部１４ｃを指で押し下げて注出筒部１４を下方に変位させる際に、ブリッジ部１５の中途部分に設けられた変形容易部１５ｃが変形することで、ブリッジ部１５の一端側から他端側までの水平方向の長さが延びるのを抑えることができ、開封部材４の基部（支柱部１６）と注出筒部１４ととの間隔に応じて、その範囲内にブリッジ部１５を収めることができるため、ブリッジ部１５を不規則に変形させることなく、小さい力でスムーズに注出筒部１４を押し下げることができる。
【００３０】
特に、本実施例では、ブリッジ部１５の中途部分に設けられた変形容易部１５ｃの強度を、開封部材４の基部（天板部１３から一体的に立設された支柱部１６）との接続部分に設けられた変形容易部１５ｂの強度よりも弱くなるように設定していることで、複数箇所に設けられた変形容易部１５ａ、１５ｂ、１５ｃにおいて、変形する順番を制御することができて、より安定的に注出筒部１４を押し下げることができる。
【００３１】
以上、本発明の開封機能付き容器の一実施例について説明したが、本発明は、上記のような実施例の具体的な構造にのみ限定されるものではなく、例えば、開封部材の基部に対してブリッジ部を接続させる箇所については、開封部材の天板部に立設された支柱部に限らず、開封部材の天板部に直接的に接続させても良いし、開封部材の外周壁に接続されても良いものであり、また、ブリッジ部の中途部分に形成される変形容易部については、一つのブリッジ部に対して一つの変形容易部に限らず、一つのブリッジ部に対して複数の変形容易部を設けても良い等、適宜に設計変更可能なものであることはいうまでもない。
【符号の説明】
【００３２】
１      開封機能付き容器
２      容器本体
３      蓋材
４      開封部材
１１    外周壁
１３    天板部
１４    注出筒部
１４ａ  刃部
１５    ブリッジ部
１５ａ  変形容易部
１５ｂ  変形容易部
１５ｃ  変形容易部
１６    支柱部
１７    弾性板部
【図１】
2010247887.tif 000003
【図２】
2010247887.tif 000004
【図３】
2010247887.tif 000005
【図４】
2010247887.tif 000006
【図５】
2010247887.tif 000007